(57)【特許請求の範囲】
【請求項１】
下記のシロアリ駆除デバイスをシロアリの生息域に設置することを特徴とするシロアリ駆除方法。
シロアリ駆除デバイス：少なくとも一部が防湿性フィルムで構成され、内部に駆除剤を収納した駆除剤収納体を備え、前記防湿性フィルムが、紙層および金属層を積層し、かつ少なくとも紙層に凹凸加工を施した積層体から構成され、前記積層体が前記駆除剤収納体に前記紙層が最外面となるように配置されている。
【請求項２】
前記防湿フィルムが、合成樹脂層を含む積層体である請求項１に記載のシロアリ駆除方法。
【請求項３】
前記防湿性フィルムは、紙層、合成樹脂層（Ａ）、金属層および合成樹脂層（Ｂ）の順に積層されてなる請求項１または２に記載のシロアリ駆除方法。
【請求項４】
前記合成樹脂フィルム層（Ａ）および（Ｂ）のうち、少なくとも一方は、難伸長性樹脂フィルムである請求項３に記載のシロアリ駆除方法。
【請求項５】
前記駆除剤収納体が、シロアリ誘引剤を収納した誘引剤収納体に隣接して配置され、前記駆除剤収納体における前記防湿性フィルムが誘引剤収納体に臨んでいる請求項１〜４のいずれかに記載のシロアリ駆除方法。
【請求項６】
請求項１〜５のいずれかに記載のシロアリ駆除方法で用いられるシロアリ駆除デバイスであって、
少なくとも一部が防湿性フィルムで構成され、内部に駆除剤を収納した駆除剤収納体を備え、前記防湿性フィルムが、紙層および金属層を積層し、かつ少なくとも紙層に凹凸加工を施した積層体から構成され、前記積層体が前記駆除剤収納体に前記紙層が最外面となるように配置されていることを特徴とするシロアリ駆除デバイス。
【発明の詳細な説明】
【技術分野】
【０００１】
本発明は、シロアリ駆除方法、およびシロアリ駆除デバイスに関する。
【背景技術】
【０００２】
シロアリ駆除に毒餌剤や殺虫剤などの駆除剤を用いる場合、シロアリが活動する地中などに駆除剤を設置することが望ましい。しかし、地中に駆除剤をそのまま設置すると、水分や温湿度条件によって、駆除剤にカビが発生するなどして、シロアリ駆除効果の失活等が起こる問題があった。
【０００３】
そこで、従来より、水分・温湿度条件によるシロアリ駆除効果の失活を防止することについて検討されてきた。例えば、引用文献１には、毒餌剤の少なくとも一部が熱可塑性プラスチックからなる防湿性フィルムによって被包されているシロアリ駆除部材が開示されている。引用文献２には、紙層と熱可塑性樹脂フィルム層を重ね合わせた防湿性素材からなる袋帯状体に毒餌剤を密封したシロアリ駆除剤が開示されている。引用文献３には、透水性に乏しく且つシロアリが容易に食害できるポリスチレン発泡体及び／またはウレタン発泡体で構成された樹脂容器に毒餌剤を封入した防蟻材料が開示されている。
【０００４】
しかしながら、引用文献１〜３に開示の樹脂フィルムや樹脂容器では、防湿性が不十分であり、さらにシロアリの食い付きが悪かった。
【０００５】
一方、シロアリの食い付きが良いとされる容器またはシートとして、表面に片面ダンボール紙を配したセルロース製シート（引用文献４参照）、腐朽木材のような粗面を有するパルプモールドと、セルロース系材料や合成樹脂などとを一体成形したシート（引用文献５参照）が開示されているが、これらのシートや樹脂容器であっても、シロアリの食い付きが十分とは言えず貫通させるのは難しく、防湿性も不十分であった。
【先行技術文献】
【特許文献】
【０００６】
【特許文献１】特開２００４−１０７２１５号公報
【特許文献２】特開平１１−１２７７５３号公報
【特許文献３】特開２００４−１３７１５０号公報
【特許文献４】特開平１０−２６５３１５号公報
【特許文献５】特開２００９−１７８１１６号公報
【発明の概要】
【発明が解決しようとする課題】
【０００７】
本発明は、水分・温湿度条件による駆除剤のシロアリ駆除効果の失活を抑制し、効率的にシロアリを駆除することができるシロアリ駆除方法、該シロアリ駆除方法に用いるシロアリ駆除デバイスを提供することを課題とする。
【課題を解決するための手段】
【０００８】
本発明者らは、上記課題を解決すべく鋭意研究を重ねた結果、本発明を完成するに至った。
【０００９】
すなわち、本発明のシロアリ駆除方法、およびシロアリ駆除デバイスは、以下の構成からなる。
（１）下記のシロアリ駆除デバイスをシロアリの生息域に設置することを特徴とするシロアリ駆除方法。
シロアリ駆除デバイス：少なくとも一部が防湿性フィルムで構成され、内部に駆除剤を収納した駆除剤収納体を備え、前記防湿性フィルムが、紙層および金属層を積層し、かつ少なくとも紙層に凹凸加工を施した積層体から構成され、前記積層体が前記駆除剤収納体に前記紙層が最外面となるように配置されている。
（２）前記防湿フィルムが、合成樹脂層を含む積層体である前記（１）に記載のシロアリ駆除方法。
（３）前記防湿性フィルムは、紙層、合成樹脂層（Ａ）、金属層および合成樹脂層（Ｂ）の順に積層されてなる前記（１）または（２）に記載のシロアリ駆除方法。
（４）前記合成樹脂フィルム層（Ａ）および（Ｂ）のうち、少なくとも一方は、難伸長性樹脂フィルムである前記（３）に記載のシロアリ駆除方法。
（５）前記駆除剤収納体が、シロアリ誘引剤を収納した誘引剤収納体に隣接して配置され、前記駆除剤収納体における前記防湿性フィルムが誘引剤収納体に臨んでいる前記（１）〜（４）のいずれかに記載のシロアリ駆除方法。
（６）前記（１）〜（５）のいずれかに記載のシロアリ駆除方法で用いられるシロアリ駆除デバイスであって、少なくとも一部が防湿性フィルムで構成され、内部に駆除剤を収納した駆除剤収納体を備え、前記防湿性フィルムが、紙層および金属層を積層し、かつ少なくとも紙層に凹凸加工を施した積層体から構成され、前記積層体が前記駆除剤収納体に前記紙層が最外面となるように配置されていることを特徴とするシロアリ駆除デバイス。
【発明の効果】
【００１０】
本発明のシロアリ駆除方法によれば、湿度の高い環境に設置されても、少なくとも一部が金属層を含む防湿性フィルムで構成されたシロアリ駆除デバイスを用いるので、防湿性が高く、シロアリ駆除効果の失活等が抑制される。さらに、防湿性フィルムは、凹凸加工を施した紙層が駆除剤収納体の最外面に配置されているので、シロアリの食い付きがよく、そのためシロアリが防湿性フィルムを食い破って、駆除剤のある駆除剤収納体内に侵入させやすくすることができる。このようなシロアリ駆除デバイスをシロアリの生息域に設置するので、効率的にシロアリを駆除することができる。
【図面の簡単な説明】
【００１１】
【図１】（ａ）は、本発明のシロアリ駆除デバイスの一実施形態を示す斜視図であり、（ｂ）は、その断面図である。
【図２】（ａ）は、本発明のシロアリ駆除デバイスの他の実施形態を示す斜視図（開き蓋は図示せず）であり、（ｂ）は、その断面図である。
【図３】本発明のシロアリ駆除デバイスのさらに他の実施形態を示す断面図である。
【図４】本発明における駆除剤収納体の他の実施形態を示す斜視図である。
【図５】食い破り試験およびフィールド試験に用いた凹凸加工を設けた検体フィルムの参考写真であり、それぞれ（ａ）はシワタイプの凹凸加工を設けた検体フィルムであり、（ｂ）はＡタイプの凹凸加工を設けた検体フィルムであり、（ｃ）はＢタイプの凹凸加工を設けた検体フィルムであり、（ｄ）はエンボス加工により約０．１ｍｍの凹凸加工を設けた検体フィルムである。
【図６】食い破り試験Ｉに用いた試験容器の断面図である。
【図７】食い破り試験ＩＩに用いた貫通試験用装置の概略断面図である。
【図８】フィールド試験ＩＩ後の試料Ｎｏ．４３における防湿性フィルムの表面写真である。
【発明を実施するための形態】
【００１２】
本発明のシロアリ駆除方法は、少なくとも一部が所定の防湿性フィルムで構成され、内部に駆除剤を収納した駆除剤収納体を備えるシロアリ駆除デバイスをシロアリの生息域に設置する方法である。ここで、シロアリの生息域とは、蟻塚およびその周辺、蟻道およびその周辺などのシロアリ自体の存在やシロアリの生活痕が確認された場所やシロアリの活動を予防ないし抑制したい場所およびその周辺を指す、以下同様。
【００１３】
本発明が駆除対象とするシロアリは、イエシロアリ（Coptotermes formosanus）、ヤマトシロアリ（Reticulitermes speratus）などのミゾガシラシロアリ科；ダイコクシロアリ属（Cryptotermes）、サツマシロアリ（Glyptotermes satsumensis）などのレイビシロアリ科；タカサゴシロアリ（Nasutitermes takasagoensis）、タイワンシロアリ（Odontotermes formosanus）などのシロアリ科；オオシロアリ（Hodotermopsis sjostedti）などのオオシロアリ科などの在来種のみならず、アメリカカンザイシロアリ（Incisitermes minor）などの移入種を含むすべての種類のシロアリである。
【００１４】
（シロアリ駆除デバイスの一実施形態）
図１（ａ）は、本発明のシロアリ駆除デバイスの一実施形態であるシロアリ駆除デバイス１を示す斜視図であり、（ｂ）は、その断面図である。
シロアリ駆除デバイス１は、杭タイプの誘引剤収納体２と、誘引剤収納体２の内部に収納された駆除剤収納体３およびシロアリ誘引剤４とからなる。
すなわち、シロアリ駆除デバイス１は、図１（ｂ）に示すように、シロアリ侵入口５を有する仕切り板６によって、上部が駆除剤収納部７（駆除剤収納スペース）に、下部が誘引剤収納部８（誘引剤収納スペース）にそれぞれ仕分けられた誘引剤収納体２内の駆除剤収納部７に駆除剤収納体３が、誘引剤収納部８にシロアリ誘引剤４がそれぞれ収納され、誘引剤収納体２の頂部にはオーバーキャップ９が装着されたものである。
シロアリ駆除デバイス１は、杭タイプの誘引剤収納体２を備えるので、地中深くのコロニーを生活拠点とするシロアリの駆除に有効である。
【００１５】
（誘引剤収納体）
誘引剤収納体２の材質としては、特に限定されず、地中での劣化に強い材質がよく、例えば、ポリエチレン、ポリプロピレン、ポリエチレンテレフタレートなどのポリエステル、ポリスチレン、ポリカーボネート、アクリル、ポリアクリロニトリルなどの合成樹脂、ガラス、陶器、金属、セラミックなどが挙げられ、なかでも、誘引剤収納体２内部の様子を確認できる点から、透明または半透明の材質であるのがよく、ポリエチレン、ポリプロピレン、ポリエチレンテレフタレートなどのポリエステル、ポリスチレン、ポリカーボネート、アクリル、ポリアクリロニトリル、ガラスなどが好ましい。
また、図示していないが、誘引剤収納部８における誘引剤収納体２の外表面は、スクリュー形状とすることで使い勝手がよい。これにより、シロアリ駆除デバイス１を地中に設置する場合、地中にねじ込むことができるので、容易に地中に設置することができる。
【００１６】
（駆除剤収納体）
駆除剤収納体３は、シロアリ侵入用の開口部を有し、該開口部の外周縁にフランジ部１０を備えたコップ型の駆除剤収納容器１１と、該開口部全体を蓋するようにフランジ部１０に接着された防湿性フィルム１２と、駆除剤収納容器１１および防湿性フィルム１２からなる密閉空間に収納された駆除剤１３とからなり、図１（ｂ）に示すように、防湿性フィルム１２が誘引剤収納部８に臨むように配置される。このように、防湿性フィルム１２が誘引剤収納部８に臨むように配置されるので、シロアリが防湿性フィルム１２を食い付きやすい。また、駆除剤１３は、駆除剤収納容器１１と防湿性フィルム１２により密封されているので、アリなどの他の害虫は防湿フィルム１２に食いついたり、破壊したりすることがないので、他の害虫は駆除剤１３にアクセスしにくく、シロアリを選択的に駆除剤１３にアクセスさせることができる。
【００１７】
駆除剤収納容器１１の材質としては、防湿性に優れるものであれば特に限定されず、地中での劣化に強い材質がよく、例えば、ポリエチレン、ポリプロピレン、ポリエチレンテレフタレートなどのポリエステル、ポリスチレン、ポリカーボネート、アクリル、ポリアクリロニトリルなどの合成樹脂、ガラス、陶器、金属、セラミックなどが挙げられ、なかでも、駆除剤収納体３内部の様子を確認できる点から、透明または半透明の材質であるのがよく、ポリエチレン、ポリプロピレン、ポリエチレンテレフタレートなどのポリエステル、ポリスチレン、ポリカーボネート、アクリル、ポリアクリロニトリル、ガラスなどが好ましい。
【００１８】
駆除剤収納容器１１の形状（コップ断面形状）としては、特に限定されず、丸型やスクウェアタイプなどの角型などであってもよく、その内容積は、地中への埋めやすさの点から、２〜２００ｍｌ程度であるのが好ましい。
駆除剤収納容器１１と防湿性フィルム１２との接着方法としては、特に限定されず、例えば、公知の接着剤を用いてもよいし、駆除剤収納容器１１や防湿性フィルム１２の材質に応じて、熱融着してもよい。
【００１９】
（防湿性フィルム）
防湿性フィルム１２は、紙層および金属層が積層された積層体であり、優れた防湿性を有するので、防湿性フィルム１２を用いた駆除剤収納体３に収納された駆除剤１３は、地中の湿気や雨水などの影響を受けにくく、乾燥状態を保つことができる。そのため、シロアリ駆除デバイス１が、シロアリが好む湿度の高い環境下に設置されても、カビの発生などによるシロアリ駆除効果の失活等を抑制することができ、使用する駆除剤１３の駆除効率が低下しないので、効率的にシロアリを駆除することできる。さらに、駆除剤収納容器１１に容易に取り付け加工ができる。また、駆除剤１３が駆除剤収納容器１１と防湿性フィルム１２によって密封されるので、シロアリ以外のアリなどの他の害虫によって密封性が破られて駆除剤が失活したり、他の害虫によって消費したりすることがなく、シロアリの駆除に効率よく使用される。
【００２０】
防湿性フィルム１２の厚さは、５〜５００μｍであるのが好ましく、さらに好ましくは、５〜２００μｍであるのがよい。防湿性フィルム１２の厚さが５００μｍより厚いと、シロアリが防湿性フィルムを食い破ることができないおそれがあったり、シロアリが防湿性フィルムを食い破るのに時間がかかりすぎたり、効率的にシロアリを駆除できないおそれがある。また、防湿性フィルム１２の厚さが５μｍより薄いと、防湿性フィルムの防湿性や機械的強度が不十分となるおそれがある。
【００２１】
防湿性フィルム１２には凹凸加工が施される。これにより、シロアリの食い付きをよくすることができ、防湿性フィルムの食い破りを可能としたり、食い破り時間を大幅に短縮したりすることができ、さらには、駆除剤収納容器１１内にシロアリを侵入させることができ、効率的にシロアリを駆除することができる。凹凸加工が施されない防湿性フィルムでは、シロアリが食い破ることができず、駆除することができない。
凹凸の形状は、ランダムであっても、規則的であってもよく、凹凸の大きさは、シロアリが食い付き易い大きさ、例えば、凸高さが約０．０５〜５ｍｍ、好ましくは０．１〜１ｍｍであり、凸幅は約０．１〜１０ｍｍ、好ましくは０．５〜５ｍｍであるのが好ましい。
凹凸加工は、防湿性フィルム１２において、駆除剤収納体３の最外面に配置されている紙層に少なくとも施されていればよく、防湿性フィルム１２の全層にわたって施されていてもよい。
凹凸加工としては、所望の凹凸形状に応じて適宜選択すればよく、例えば、エンボス加工、シワ加工、カレンダー加工、ウェーブ加工、ブリーツ加工、シボ加工などが挙げられ、なかでも、防湿性フィルムの製造の容易さとシロアリの食い破りの容易さの観点から、エンボス加工、シワ加工が好ましい。
【００２２】
防湿性フィルム１２の構成は、最外面が紙層であれば特に限定されず、例えば、紙／金属の２層構造であってもよいし、紙／金属／紙、紙／金属／紙／金属などの３層以上の構造であってもよい。なお、例えば、紙／金属／紙／金属の表記は、紙層、金属層、紙層および金属層が、この順で積層された防湿性フィルムを指す、以下同様。
【００２３】
また、防湿性フィルム１２は、さらに合成樹脂層を含む積層体であってもよい。これにより、ラミネートする場合に金属層の破れを抑制したり、防湿性フィルム１２の防湿性や製造適性（シール性）を向上させることができる。
合成樹脂層を含む防湿性フィルム１２の構成は、紙層、合成樹脂層および金属層を含み、少なくとも一方の表面（最外面）が紙層であれば特に限定されず、例えば、紙／合成樹脂（Ａ）／金属／合成樹脂（Ｂ）、紙／合成樹脂／金属、紙／金属／合成樹脂、紙／金属／合成樹脂／紙などが挙げられ、なかでも、防湿性、機械強度に優れるなどの観点から、紙／合成樹脂（Ａ）／金属／合成樹脂（Ｂ）の構成であるのが好ましい。金属層の表裏に合成樹脂層（Ａ）または（Ｂ）が積層されることで、金属層の破れを防ぐことができ、防湿性フィルム１２の透湿現象を極めて小さくすることができる。また、合成樹脂層（Ａ）と合成樹脂層（Ｂ）は、同じ合成樹脂から構成されてもよいし、異なる樹脂から構成されてもよいし、複数の素材の合成樹脂層を積層したものから構成されてもよい。なお、防湿性フィルム１２における各層は、公知の接着剤を介して積層されていてもよい。
【００２４】
（紙層）
防湿性フィルム１２は、シロアリが食い付きやすい紙層を有する。そのため、防湿性フィルムは、紙層が駆除剤収納体３の外側になるように配置される。
紙層としては、特に限定されず、例えば、模造紙、上質紙、クラフト紙、純白ロール紙、薄葉紙、グラシン紙、和紙、ボール紙、段ボールなどが挙げられる。
紙層の秤量は、１０〜１０００ｇ／ｍ２、好ましくは２０〜５００ｇ／ｍ２であるのがよい。
【００２５】
（合成樹脂層）
合成樹脂層としては、例えば、ポリエチレンテレフタレート（ＰＥＴ）等の難伸長性樹脂フィルム、ポリエチレン（ＰＥ）、エチレン−アクリル酸共重合体（ＥＡＡ）、ポリプロピレン（ＰＰ）、エチレン−ビニルアルコール共重合体（ＥＶＯＨ）、エチレン−酢酸ビニル共重合体（ＥＶＡ）、ポリアクリロニトリル(ＰＡＮ) 、ナイロン、ビニルエステル、ポリイミド（ＰＩ）、ポリベンゾイミダゾール(ＰＢＩ)、ポリメタクリル酸メチル（ＰＭＭＡ）などが挙げられ、これらの１種または２種以上を積層して使用してもよい。特にＰＥは、例えば、紙／ＰＥ／金属の構成の防湿性フィルムを製造する場合、熱圧着することで、紙層と金属層との接着剤としての機能を有する。
合成樹脂層の厚さは、１０〜１０００μｍ、好ましくは１５〜１５０μｍであるのがよい。
【００２６】
防湿性フィルム１２の構成が、紙／合成樹脂（Ａ）／金属／合成樹脂（Ｂ）である場合には、合成樹脂層（Ａ）および（Ｂ）のうち、少なくとも一方は、難伸長性樹脂フィルムを含むのが好ましい。これにより、防湿性フィルム１２を凹凸加工する場合に、金属層の破れを効果的に抑制することができる。
【００２７】
難伸長性樹脂フィルムとしては、防湿性フィルムの凹凸加工時に伸びにくく、金属層の破れを防げる樹脂であれば特に限定されず、例えば、ポリエチレンテレフタレート（ＰＥＴ）フィルム、ポリスチレン（ＰＳ）フィルム、ポリアクリロニトリル（ＰＡＮ）フィルム、ナイロンフィルム、ビニルエステルフィルム、ポリイミド（ＰＩ）フィルム、ポリベンゾイミダゾール(ＰＢＩ)フィルム、ポリメタクリル酸メチル（ＰＭＭＡ）フィルムなどが挙げられ、なかでも、凹凸加工時に伸びにくく、金属層の破れを防げるためＰＥＴフィルムを用いるのが好ましい。
【００２８】
特に、紙／合成樹脂（Ａ）／金属／合成樹脂（Ｂ）である構成の防湿性フィルムである場合には、合成樹脂（Ａ）は、ＰＥであり、合成樹脂（Ｂ）は、ＰＥＴ／ＣＰＰであるのが好ましい。このような構成とすることで、合成樹脂（Ａ）のＰＥが押出しラミネート法における接着層となり、合成樹脂（Ｂ）のＰＥＴにより凹凸加工時の金属層の破れが防止され、ＣＰＰを駆除剤収納容器１１へのシーラントとすることができる。なお、ＣＰＰは無延伸ポリプロピレンを表す。
【００２９】
（金属層）
防湿性フィルム１２は、防湿性に特に優れる金属層を有する。シロアリは、通常、金属を食い付いたり、食い破ったりしないが、紙層と組み合わせて凹凸加工することで、シロアリに金属層を食い破らせることができる。すなわち、これまでにない防湿性に特に優れたシロアリによって食い破り可能な防湿性フィルムとすることができる。
金属層としては、例えば、金、銀、アルミニウム、鉄などが挙げられ、なかでも、シロアリの食い破りやすさ、高い防湿性や製造適性の観点からアルミニウム層を用いるのが好ましい。また、前記金属層を蒸着したものでもよい。
アルミニウム層としては、例えば、アルミニウム箔、紙または合成樹脂にアルミニウムを蒸着したものなどが挙げられる。
金属層の厚さは、１〜４０μｍ、好ましくは５〜２０μｍであるのがよい。ただし、金属を蒸着した場合の金属層の厚さは、０．０１〜１μｍ、好ましくは０．０２〜０．２μｍであるのがよい。
【００３０】
このような紙層、合成樹脂層および金属層を積層して防湿性フィルム１２とする製造方法として、公知の方法、例えば、押出しラミネート法、ドライラミネート法、ウェットラミネート法、ホットメルトラミネート法などが挙げられる。
ラミネートする場合の接着剤は、公知の接着剤を使用すればよい。
【００３１】
（シロアリ駆除剤）
シロアリ駆除剤１３は、シロアリ駆除の有効成分と、有効成分を含浸するための基材との混合物であり、基材としては、後述するシロアリ誘引剤で挙げられるような駆除対象とする種のシロアリが好んで摂食するものやシロアリがコロニーに持ち帰るような運搬可能なものである。
シロアリ駆除の有効成分としては、シロアリ駆除の従来から使用されている成分を用いることができ、特に遅効性のものが好ましい。シロアリが体内に取り込んだ駆除剤１３をコロニーに持ち帰らせることで、または駆除剤１３そのものをコロニーに持ち帰らせることで、コロニー全体にシロアリ駆除の有効成分が広がりシロアリを効率的に駆除することができるからである。
シロアリ駆除の有効成分の具体例としては、クロルピリホス、ジクロロフェンチオン（ＥＣＰ）、ダイアジノン、テトラクロルビンホス、ピリダフェンチオン、フェニトロチオン（ＭＥＰ）、プロペタンホス、ホキシム、ジクロルボスなどの有機リン系化合物；シラフルオフェンなどの有機ハロゲン系化合物；フェノブカルブ（ＢＰＭＣ）、プロポクスルなどのカーバメート系化合物；ビフェントリン、ペルメトリン、トラロメトリン、アクリナトリン、エトフェンプロックスなどのピレスロイド系化合物；ジノテフラン、イミダクロプリド、アセタミプリドなどのネオニコチノイド系化合物；メトプレン、ハイドロプレン、ピリプロキシフェン、ジフルベンズロン、トリフルムロン、テフルベンズロン、クロルフルアズロン、フルフェノクスロン、ヘキサフルムロン、シロマジンなどの昆虫成長制御剤；フィプロニル、ピリプロールなどのフェニルピラゾール系化合物；クロルフェナピルなどのピロール系化合物；アミドフルメト等のスルホンアミド系化合物；メトキサジアゾン等のオキサジアゾール系化合物；その他、ヒドラメチルノン、ホウ酸、ホウ砂などが挙げられ、駆除対象とするシロアリの種に応じて、これら有効成分の１種を単独で使用してもよく、また２種以上組み合わせて使用してもよい。また、これらの有効成分に加えて、ピペロニルブトキシド、オクタクロロジプロピルエーテル、Ｎ−（２−エチルヘキシル）ビシクロ［２．２．１］ヘプト−５−エン−２，３−ジカルボキシイミド等の共力剤を加えて使用してもよい。
【００３２】
駆除剤１３の製剤形態としては、固形状であれば特に限定されず、粉末、粒状、顆粒、錠剤、塊状、カプセルなどが挙げられ、なかでも、シロアリの摂食、コロニーへの運搬の容易さの観点から、粒状製剤、顆粒製剤、カプセル化製剤であるのが好ましい。
【００３３】
（シロアリ誘引剤）
シロアリ誘引剤４としては、特に限定されず、駆除対象とする種のシロアリが好んで摂食するものを適宜選択すればよく、例えば、紙、木粉、おがくず、セルロース粒子などのセルロース成形体、綿布、蒸煮材、木片などが挙げられる。ここで、シロアリの誘引とは、シロアリがシロアリ誘引剤４を好んで摂食し、その場に滞留することも含む。以下同様。
【００３４】
（シロアリ駆除方法）
シロアリ駆除デバイス１を用いたシロアリ駆除方法としては、例えば、シロアリ駆除デバイス１をシロアリの生息域の地中に設置する方法などが挙げられる。シロアリ駆除デバイス１をシロアリの生息域の地中に設置することにより、地中深くのコロニーを生活拠点とするシロアリが、コロニーから地下道や蟻道をつくってシロアリ侵入口１４から誘引剤収納部８に侵入し、シロアリ誘引剤４を摂食する。そして、シロアリがシロアリ誘引剤４の摂食中または食い尽くした後、誘引剤収納部８の上部に隣接した駆除剤収納部７に配置された駆除剤収納体３の防湿性フィルム１２を食い破り、さらに、駆除剤１３を摂食するまたは駆除剤１３に接触する。このようにして、シロアリを駆除することができる。
シロアリ駆除デバイス１は、約５〜２０ｃｍの深さに、約１〜２ｍ間隔で、設置することが好ましい。このように設置することで、深すぎず容易に設置場所が確認でき、必要以上のシロアリ駆除デバイス１を用いることなく、コストが抑えられ、効率的に駆除が可能となる。
また、シロアリ誘引剤４は、シロアリが防湿性フィルム１２を食い付きやすくする観点から、図１（ｂ）に示すように、シロアリ誘引剤４が防湿性フィルム１２と接するように誘引剤収納部８に充填されるのが好ましく、駆除剤１３は、シロアリが防湿性フィルム１２を食い破った後、駆除剤１３に確実にアクセスさせる観点から、図１（ｂ）に示すように、駆除剤収納容器１１に充填されるのが好ましい。
【００３５】
（シロアリ駆除デバイスの他の実施形態）
図２（ａ）は、本発明のシロアリ駆除デバイスの他の実施形態であるシロアリ駆除デバイス１５（開き蓋２２は図示せず）を示す斜視図であり、（ｂ）は、その断面図である。
シロアリ駆除デバイス１５は、ボックスタイプの誘引剤収納体１６と、誘引剤収納体１６の内部に収納された駆除剤収納体３およびシロアリ誘引剤４とからなり、誘引剤収納体が異なる他はシロアリ駆除デバイス１と同様であり、以下、重複するものは同符号とした。
シロアリ駆除デバイス１５は、図２（ｂ）に示すように、シロアリ侵入口１９を有する仕切り部２０によって、水平方向に駆除剤収納部１７（駆除剤収納スペース）、誘引剤収納部１８（誘引剤収納スペース）にそれぞれ仕分けられた誘引剤収納体１６の駆除剤収納部１７に駆除剤収納体３が、誘引剤収納部１８にシロアリ誘引剤４がそれぞれ収納され、誘引剤収納体１６の上部に、取っ手２１を有する開き蓋２２が装着されたものである。
駆除剤収納部１７が、誘引剤収納部１８と水平方向に隣接しているので、シロアリが防湿性フィルム１２を食い破りやすい。
【００３６】
（シロアリ駆除方法）
シロアリ駆除デバイス１５を用いたシロアリ駆除方法としては、前記したシロアリ駆除デバイス１５をシロアリの生息域の地中または地上に設置するものである。
シロアリ駆除デバイス１５をシロアリの生息域の地中に設置する場合は、地中のコロニーを生活拠点とするシロアリの駆除に効果的であり、シロアリ駆除デバイス１５をシロアリの生息域の地上に設置する場合は、地表付近で活動しているシロアリの駆除に効果的である。
シロアリ駆除デバイス１５は、約５〜２０ｃｍの深さに、約１〜２ｍ間隔で、設置することが好ましい。このように設置することで、深すぎず容易に設置場所が確認でき、必要以上のシロアリ駆除デバイス１５を用いることなくコストが抑えられ、効率的に駆除が可能となる。
また、シロアリ誘引剤４は、シロアリが防湿性フィルム１２を食い付きやすくする観点から、図２（ｂ）に示すように、シロアリ誘引剤４が防湿性フィルム１２と接するように誘引剤収納部１８に充填されるのが好ましく、駆除剤１３は、シロアリが防湿性フィルム１２を食い破った後、駆除剤１３に確実にアクセスさせる観点から、図２（ｂ）に示すように、駆除剤収納容器１１に充填されるのが好ましい。
【００３７】
（シロアリ駆除デバイスのさらに他の実施形態）
本発明のシロアリ駆除デバイスは、上述したシロアリ駆除デバイス１、１５に限定されず、少なくとも一部が防湿性フィルムで構成され、内部に駆除剤を収納した駆除剤収納体を備えるものであれば、どのような形態であってもよく、例えば、図３に示すように、シロアリ侵入口２４を下部に有するワンボックス型の誘引剤収納体２５内に、シロアリ誘引剤４を敷き、該シロアリ誘引剤４上に駆除剤収納体３を載せた、低コストで作製できる簡易なシロアリ駆除デバイス２６であってもよいし、駆除剤収納体３それ自体がシロアリ駆除デバイスなどであってもよい。
また、本発明における駆除剤収納体は、上述した駆除剤収納体３に限定されず、少なくとも一部が防湿性フィルムで構成され、内部に駆除剤を収納でき、防水・防湿に優れるものであれば特に限定されず、例えば、図４に示すように、防湿性フィルム１２からなる袋体の内部に駆除剤１３を収納した駆除剤収納体２９であってもよいし、複数のシロアリ侵入用の開口を有する駆除剤収納容器と、各シロアリ侵入の開口全体を蓋する一または複数の防湿性フィルムと、駆除剤収納容器および防湿性フィルムからなる密閉空間に収納した駆除剤とからなる駆除剤収納体（図示せず）などであってもよい。なお、これら駆除剤収納体は、上述したシロアリ駆除デバイス１、１５、２６における誘引剤収納体内に設置した駆除剤収納体３の代わりに用いてもよく、さらには、これら駆除剤収納体自体を単体で用いてシロアリ駆除デバイスとしてもよい。
【実施例】
【００３８】
以下、実施例をあげて本発明を具体的に説明するが、本発明はこれらの実施例に限定されるものではない。
【００３９】
表１〜３に示すＰＥ層を有するフィルム構成のフィルムは、押し出しラミネート法により製造した。
表１、３に示すＰＥ層を有しないフィルム構成のフィルムは、各層を接着剤を介してラミネートして製造した。
さらに、このようにして得られた検体フィルムに凹凸加工を施す場合は、検体フィルムを手加工によりシワを付加して、または、検体フィルムを型に挟み込んで、検体フィルムの表裏に凹凸加工を施した。凹凸加工を施した防湿フィルムの参考写真を図５に示す。
【００４０】
（食い破り試験Ｉ）
図６に示す試験容器３０を用いて、食い破り試験Ｉを行なった。すなわち、蓋を外した２本のプラスチック製チューブ３１ａ,３１ｂ（ワトソン（株）製の「スクリューキャップチューブ ２．０ｍｌ 自立型」）に、霧吹きによって湿らせたおがくず３２を、チューブ３１ａには容積の約半分（１ｍｌ）程度入れて、チューブ３１ｂには容積すべてが埋まるように入れた。前記チューブ３１ａに、空気穴として直径１ｍｍの穴を左右３箇所ずつ開け、供試虫３３（ヤマトシロアリ）を３０頭入れた。そして、表１に示す構成の検体フィルム３４の両面を、キャップをはずした状態の上述した２本のチューブ３１ａ，３１ｂのチューブ口を向かい合わせて挟み込み、ビニールテープ３５で固定して、２本のチューブを一体化した。なお、表１のフィルム構成における左側の層（表面＝駆除剤収納体に配置した際、最外面となる層）を、検体フィルムの供試虫を入れたチューブ側とした。
その後、定期的に検体フィルムの食い破り（貫通）の有無を観察した。その結果を表１に示す。検体フィルムの食い破り（貫通）が見られたものは、貫通時間を貫通が見られた時点の経過日数で示し、貫通評価を「○」で示した。また、３０日経過時点で貫通が見られなかったものは、貫通時間を「−」で示し、貫通評価を「×」で示した。なお、表１のフィルム構成において、例えば、「紙３５」とは秤量３５ｇ／ｍ２の紙層、Ａｌ６とは厚さ６μｍのアルミニウム層を表す。
【００４１】
【表１】
0005867919.tif 000002
＊は比較例を示す。
（1）フィルムの厚みは、紙層は秤量（ｇ／ｍ2）で表し、その他の層はμｍで表した。
なお、試料Ｎｏ．１７の「紙84.9／アルミ蒸着」は、秤量８４．９ｇ／ｍ２の紙にアルミニウムを真空蒸着したものであり、アルミニウム蒸着層の厚さは１μｍ以下のため、表示せず。
（2）シワタイプ：シワを付加した凹凸形状（図５（ａ）参照）
Ａタイプ  ：凹凸が約０．６ｍｍである楊柳タイプの凹凸形状（図５（ｂ）参照）
Ｂタイプ  ：凹凸が約０．４ｍｍであるストライプタイプの凹凸形状（図５（ｃ）参照）
（3）３０日経過時点で貫通が見られなかったものは「−」と表記した。
（略字表記）
Al＝アルミニウム
PE＝ポリエチレン
PET＝ポリエチレンテレフタレート
EAA＝エチレン-アクリル酸共重合体
ON＝延伸ナイロン
CPP＝無延伸ポリプロピレン
【００４２】
（食い破り試験ＩＩ）
図７に示す貫通試験用装置３６を用いて、食い破り試験ＩＩを行なった。屋外で採取したイエシロアリのコロニー３７（コロニーの高さ：約３０〜４０ｃｍ）をプラスチック製の円筒容器３８（直径約２５ｃｍ、高さ約１３０ｃｍ）に設置し、おがくずを混ぜた土３９を約１００ｃｍの高さＨまで充填し、その状態で１ヵ月以上静置した。次に、表２に示す構成の検体フィルム４０の両面を２本の塩化ビニル製のパイプ４１ａ，４１ｂ（直径約１ｃｍ、長さ約１５ｃｍ）の端（開放部）を向かい合わせて挟み込み、クリップ４２により固定して貫通試験用装置とした。前記円筒容器３８の上部側面（高さ約１２０ｃｍの位置）に、前記パイプ４１ａの一方の端を接続して、２４時間後の検体フィルム４０の食い破りの有無を観察した。なお、表２のフィルム構成における左側の層（表面＝駆除剤収納体に配置した際、最外面となる層）を、イエシロアリのコロニー３７が入った円筒容器３８側とし、円筒容器３８側のパイプ４１ａ内には何も充填せずにイエシロアリ４３が行き来できるようにした。さらに、検体フィルム４０を挟んだもう一方のパイプ４１ｂ内には餌となるセルロース粒子４４を約２ｇ入れ、検体フィルム４０を挟んだ反対側の開放端をプラスチック栓４５により封をした。
結果を表２に示す。なお、凹凸加工は、手加工により折り曲げ、シワを付加した凹凸形状とした。また、貫通評価は、１日以内に検体フィルム４０の貫通が見られたものを「○」、１日経っても食い破りが見られなかったものを「×」で示した。なお、本試験においては、イエシロアリのコロニー全体をそのまま用いており、イエシロアリの個体数も多く、活動が活発な為、１日経過後の貫通の有無で評価を行った。
【００４３】
【表２】
0005867919.tif 000003
＊は比較例を示す。
（1）フィルムの厚みは、紙層は秤量（ｇ／ｍ2）で表し、その他の層はμｍで表した。
（2）シワタイプ：シワを付加した凹凸形状（図５（ａ）参照）
（略字表記）
PE＝ポリエチレン
Al＝アルミニウム
PET＝ポリエチレンテレフタレート
EAA＝エチレン-アクリル酸共重合体
【００４４】
（防湿試験）
表３に示す構成の検体フィルムで作製した８０×８０ｍｍの袋に、１３ｇの粒状シリカゲルを封入し、温度４０℃、湿度７５％の環境下に１週間静置した。
得られた粒状シリカゲルの重量の変化（吸湿量）を測定し、防湿性の評価をした。その結果を表３に示す（試験は各検体フィルムにつき３回行い、吸湿量はその平均値を示す）。なお、防湿性の評価は、吸湿量が０．０５ｇ以下である場合を「○」、０．０５ｇを超える場合を「×」とした。
【００４５】
【表３】
0005867919.tif 000004
＊は比較例を示す。
（1）フィルムの厚みは、紙層は秤量（ｇ／ｍ2）で表し、その他の層はμｍで表した。
なお、試料Ｎｏ．３１の「紙84.9／アルミ蒸着」は、秤量８４．９ｇ／ｍ２の紙にアルミニウムを真空蒸着したものであり、アルミニウム蒸着層の厚さは１μｍ以下のため、表示せず。
（略字表記）
Al＝アルミニウム
PE＝ポリエチレン
PET＝ポリエチレンテレフタレート
EAA＝エチレン-アクリル酸共重合体
CPP＝無延伸ポリプロピレン
PAN＝ポリアクリロニトリル
ON＝延伸ナイロン
OPP＝延伸ポリプロピレン
OPS＝延伸ポリスチレン
EVOH＝エチレン-ビニルアルコール共重合体
【００４６】
（フィールド試験Ｉ）
図２に示すシロアリ駆除デバイス１５（縦５．５ｃｍ、横１０．５ｃｍ、高さ３．０ｃｍ）を用いて、野外において食い破り試験（フィールド試験Ｉ）を行なった。シロアリ駆除デバイス１５の誘引剤収納部にはシロアリ誘引剤として約７０ｍｌのセルロース粒子を充填し、駆除剤収納容器には下記表４中に示す有効成分を含まない駆除剤（セルロース粒子、ガラスビーズまたはゼラチン製カプセル）を、駆除剤収納体の容積が満たされるように（約４０ｍｌ）それぞれ充填し、紙層（秤量：４２ｇ／ｍ２）とアルミニウム層（厚み：７μｍ）との２層からなるフィルム構成の防湿フィルムにエンボス加工により約０．１ｍｍの凹凸加工を設けたもの（図５（ｄ）参照）を、ホットメルト接着剤（エチレン‐酢酸ビニル共重合体系のホットメルト接着剤）を用いて、アルミニウム層を接着面（駆除剤側）、つまり、紙層が最外面（表面）とし、密封した。なお、防湿フィルムの食い破りの有無を評価する為、駆除剤の代わりとして、有効成分を含まないものを用いた。
試験は岡山県内の鷲羽山の山中にて、シロアリの巣が確認された切り株付近にシロアリ駆除デバイス１５を設置してフィールド試験Ｉを行った。シロアリ駆除デバイス１５はシロアリ駆除デバイス１５全体が地中に埋まるように設置（地中約１０ｃｍ）し、３３日後まで定期的に防湿フィルムの食い破りの有無を確認した。その結果を表４に示す。なお、表４中のデバイスへの侵入の有無は、試験終了時（３３日後）までの確認時点で、誘引剤収納部１８にシロアリの侵入が見られたもの（侵入の痕跡が見られたものを含む）を「○」、誘引剤収納部１８にシロアリの侵入が見られなかったものを「×」で示した。また、貫通評価は、試験終了時（３３日後）までの確認時点で、食い破りが見られたものを「○」、誘引剤収納部１８にシロアリの侵入が見られず評価できなかったものを「−」で示した。なお、食い破りまでの日数には、食い破りが確認された時点の設置日数を示し、３３日間経過時点で食い破りが見られなかったものは「−」で示した。
【００４７】
【表４】
0005867919.tif 000005
【００４８】
表４に示したとおり、駆除剤の種類によらず、デバイスへの侵入が見られたものでは、すべてにおいて防湿フィルムの食い破りが確認された（試料Ｎｏ．３２〜３４、３６〜３８、４０〜４２）。
【００４９】
（フィールド試験ＩＩ）
図２に示すシロアリ駆除デバイス１５（縦５．５ｃｍ、横１０．５ｃｍ、高さ３．０ｃｍ）を用いて、野外において食い破り試験（フィールド試験ＩＩ）を行なった。シロアリ駆除デバイス１５の誘引剤収納部にはシロアリ誘引剤として約７０ｍｌのセルロース粒子を充填し、駆除剤収納容器にも駆除剤として約４０ｍｌのセルロース粒子を充填し、紙層（秤量：４２ｇ／ｍ２）とアルミニウム層（厚み：７μｍ）との２層からなるフィルム構成の防湿フィルムにエンボス加工により約０．１ｍｍの凹凸加工を設けたもの（図５（ｄ）参照）を、試料Ｎｏ．４３〜４４はホットメルト接着剤（エチレン‐酢酸ビニル共重合体系のホットメルト接着剤）を用いて、試料Ｎｏ．４５〜４６は木工用接着剤（酢酸ビニル樹脂系エマルジョン型接着剤）を用いて、アルミニウム層を接着面（駆除剤側）、つまり、紙層が最外面（表面）とし、密封した。なお、防湿フィルムの食い破りの有無を評価する為、駆除剤の代わりとして、有効成分を含まないセルロース粒子を用いた。
試験は和歌山県御坊市煙樹ヶ浜の林中にて、シロアリの巣が確認された蟻塚付近を餌場Ａとし、餌場Ａからその蟻塚を介した反対側の蟻塚付近を餌場Ｂとして、２ヶ所にシロアリ駆除デバイス１５を設置してフィールド試験ＩＩを行った。シロアリ駆除デバイス１５はシロアリ駆除デバイス１５全体が地中に埋まるように設置（地中約１０ｃｍ）し、４日後に防湿フィルムの食い破りの有無を確認した。その結果を表５に示す。なお、表５中のデバイスへの侵入の有無は、確認時点で誘引剤収納部１８にシロアリの侵入が見られたもの（侵入の痕跡が見られたものを含む）を「○」で示した。また、貫通評価は、確認時点で食い破りが見られたものを「○」で示した。
【００５０】
【表５】
0005867919.tif 000006
【００５１】
フィールド試験ＩＩでは、設置期間４日経過時点で、シロアリ駆除デバイス１５を掘り出して回収した。その結果、すべての試料で設置期間４日という短い期間において、防湿フィルムの食い破りが見られた。
また、フィールド試験ＩＩ後のシロアリによって食い破られた防湿性フィルム（試料Ｎｏ．４３）の様子を図８に示す。図８の囲部示したとおり防湿フィルムは、紙層およびアルミニウム層が全面的に食い破られ、貫通されていた。さらに、駆除剤収納部に充填したセルロース粒子には蟻道が形成されていた。
【００５２】
（フィールド試験ＩＩＩ）
図１に示すシロアリ駆除デバイス１（駆除剤収納部７の直径約６ｃｍ、高さ２ｃｍ。誘引剤収納部８の高さ１０ｃｍ）および図２に示すシロアリ駆除デバイス１５（縦５．５ｃｍ、横１０．５ｃｍ、高さ３．０ｃｍ）を用いて、野外において食い破り試験（フィールド試験ＩＩＩ）を行なった。シロアリ誘引剤として、シロアリ駆除デバイス１の誘引剤収納部には約４０ｍｌのセルロース粒子を、シロアリ駆除デバイス１５の誘引剤収納部には約７０ｍｌのセルロース粒子をそれぞれ充填し、シロアリ駆除デバイス１，１５の駆除剤収納容器には約４０ｍｌの霧吹きによって湿らしたおがくずをそれぞれ充填し、表６に示すフィルム構成の防湿フィルムを表６のフィルム構成における左側の層が最外面となるように熱溶着し、密封した。なお、防湿フィルムの食い破りの有無を評価する為、駆除剤の代わりとして、有効成分を含まないおがくずを用いた。
試験は岡山県内の鷲羽山の山中にて、シロアリの巣が確認された切り株付近にシロアリ駆除デバイス１，１５を設置してフィールド試験ＩＩＩを行った。シロアリ駆除デバイス１は誘引剤収納部が地中に埋まるように設置（地中約１０ｃｍ）し、シロアリ駆除デバイス１５はシロアリ駆除デバイス全体が地中に埋まるように設置（地中約１０ｃｍ）し、１１日後または４３日後に防湿フィルムの食い破りの有無を確認した。いずれのシロアリ駆除デバイスにおいても、防湿フィルムの食い破りが見られた。その結果を表６に示す。なお、表６中の貫通評価は、確認時点で食い破りが見られたものを「○」で示した。
【００５３】
【表６】
0005867919.tif 000007
(1)杭タイプ：図１に示すシロアリ駆除デバイス
ボックスタイプ：図２に示すシロアリ駆除デバイス
(2)フィルムの厚みは、紙層は秤量（ｇ／ｍ2）で表し、その他の層はμｍで表した。
(3)Ｂタイプ：凹凸が約０．４ｍｍであるストライプタイプの凹凸形状（図５（ｃ）参照）
（略字表記）
PE＝ポリエチレン
Al＝アルミニウム
PET＝ポリエチレンテレフタレート
EAA＝エチレン-アクリル酸共重合体
CPP＝無延伸ポリプロピレン
【符号の説明】
【００５４】
１、１５、２６              シロアリ駆除デバイス
２、１６、２５              誘引剤収納体
３、２９                    駆除剤収納体
４                          シロアリ誘引剤
５、１４、１９、２３、２４  シロアリ侵入口
６                          仕切り板
７、１７                    駆除剤収納部
８、１８                    誘引剤収納部
９                          オーバーキャップ
１０                        フランジ部
１１                        駆除剤収納容器
１２                        防湿性フィルム
１３                        駆除剤
２０                        仕切り部
２１、２７                  取っ手
２２                        開き蓋
２８                        蓋
３０                        試験容器
３１ａ、３１ｂ              プラスチック製チューブ
３２                        おがくず
３３                        供試虫
３４、４０                  検体フィルム
３５                        ビニールテープ
３６                        貫通試験用装置
３７                        イエシロアリのコロニー
３８                        円筒容器
３９                        土
４１ａ、４１ｂ              塩化ビニル製のパイプ
４２                        クリップ
４３                        イエシロアリ
４４                        セルロース粒子
４５                        プラスチック栓
【図１】
0005867919.tif 000008
【図２】
0005867919.tif 000009
【図３】
0005867919.tif 000010
【図４】
0005867919.tif 000011
【図５】
0005867919.tif 000012
【図６】
0005867919.tif 000013
【図７】
0005867919.tif 000014
【図８】
0005867919.tif 000015